(57)【要約】【課題】本発明は、画像形成装置のそばにいる利用者に対して、利用者が所持する携帯端末との無線通信を簡単に行うことができる画像形成装置を提供する。【解決手段】画像形成装置１００では、人感センサ１６０により画像形成装置１００の近傍にいる利用者を検知したときは、利用者が所持する携帯端末３００との無線接続を確立するためのＩＤを生成し、生成されたＩＤを操作部１５０に表示する。利用者の携帯端末３００から無線ＬＡＮコントローラ１１６を介して受信したＩＤに基づいて認証を行い、認証が成功した携帯端末３００からジョブを受信して実行する。【選択図】図５
2016012200.tif 000002
【特許請求の範囲】
【請求項１】
無線通信手段を備える画像形成装置において、
前記画像形成装置の近傍にいる利用者を検知する人感検知手段と、
前記人感検知手段により利用者を検知したときは、前記利用者が所持する携帯端末との無線接続を確立するためのＩＤを生成する生成手段と、
前記生成手段により生成されたＩＤを表示する表示手段と、
前記携帯端末から前記無線通信手段を介して受信したＩＤに基づいて認証を行う認証手段と、
前記認証手段により認証が成功した携帯端末からジョブを受信して実行するジョブ実行手段とを備えることを特徴とする画像形成装置。
【請求項２】
前記無線通信手段は、前記携帯端末との間で直接または電波中継機を介して無線通信を行うことを特徴とする請求項１に記載の画像形成装置。
【請求項３】
前記認証手段は、前記表示手段に表示されたＩＤと前記無線通信手段を介して受信したＩＤとが一致する場合に認証が成功したと判断することを特徴とする請求項１または２に記載の画像形成装置。
【請求項４】
前記認証手段は、前記表示手段に表示されたＩＤと前記無線通信手段を介して受信したＩＤとが一致し、且つ前記人感検知手段により利用者が継続して検知されていた場合に認証が成功したと判断することを特徴とする請求項１乃至３のいずれか１項に記載の画像形成装置。
【請求項５】
前記ジョブ手段によりジョブの実行後に、前記携帯端末からの通信切断通知を受信した場合または所定時間が経過した場合には、前記無線通信手段による前記携帯端末との無線通信を切断することを特徴とする請求項１乃至４のいずれか１項に記載の画像形成装置。
【請求項６】
前記人感検知手段により利用者を検知したときは、省電力状態から通常状態に復帰する復帰手段をさらに備えることを特徴とする請求項１乃至５のいずれか１項に記載の画像形成装置。
【請求項７】
前記生成手段は、前記復帰手段による復帰ごとにＩＤを生成することを特徴とする請求項６に記載の画像形成装置。
【請求項８】
前記無線通信手段の電波強度を検知する電波強度検知手段をさらに備え、
前記生成手段は、前記人感検知手段により利用者を検知し、且つ前記電波強度検知手段により所定値以上の電波強度をもつ携帯端末を検知したときは、当該携帯端末との無線接続を確立するためのＩＤを生成することを特徴とする請求項１乃至７のいずれか１項に記載の画像形成装置。
【請求項９】
無線通信手段を備える画像形成装置の通信方法において、
前記画像形成装置の近傍にいる利用者を検知する人感検知工程と、
前記人感検知工程にて利用者を検知したときは、前記利用者が所持する携帯端末との無線接続を確立するためのＩＤを生成する生成工程と、
前記生成工程にて生成されたＩＤを表示する表示工程と、
前記携帯端末から前記無線通信手段を介して受信したＩＤに基づいて認証を行う認証工程と、
前記認証工程にて認証が成功した携帯端末からジョブを受信して実行するジョブ実行工程とを備えることを特徴とする通信方法。  
【請求項１０】
請求項９に記載の通信方法を画像形成装置に実行させるためのコンピュータに読み取り可能なプログラム。
【発明の詳細な説明】
【技術分野】
【０００１】
本発明は、画像形成装置およびその通信方法、並びにプログラムに関し、特に、情報処理装置との間の画像形成装置の無線通信技術に関する。
【背景技術】
【０００２】
近年、無線ＬＡＮ通信技術の進化により、スマートフォンやタブレットＰＣなどの携帯端末に限らず、カメラやゲーム機器、複写機等の多くの装置が無線通信機能を備えている。例えば、無線通信手段を備えた複写機では、スマートフォンやカメラで撮影された画像を無線ＬＡＮ経由で受信して印刷することができる。
【０００３】
装置間の無線通信を確立する場合、例えば、接続先の無線ＬＡＮのＳＳＩＤや暗号化キーを携帯端末の無線ＬＡＮ設定画面で入力する必要がある。また、ハイビジョン受像機のディスプレイにＳＳＩＤや暗号化キー等の接続情報を変換した画像パターンの表示を行い、表示された画像パターンを、通信機能を備えたカメラで撮影して接続情報に再変換する方法がある（例えば、特許文献１参照）。
【先行技術文献】
【特許文献】
【０００４】
【特許文献１】特開２００８−２１１５０７号公報
【発明の概要】
【発明が解決しようとする課題】
【０００５】
例えば、携帯端末に格納されたデータを、オフィスやコンビニエンスストア等に設置された画像形成装置に無線送信して印刷させる場合、利用者が特定されないため、装置間の無線通信を継続して確立する必要はなく、必要なときに一時的に通信確立できればよい。
【０００６】
本発明は、上記問題に鑑みて成されたものであり、画像形成装置のそばにいる利用者に対して、利用者が所持する携帯端末との無線通信を容易に行うことができる技術を提供する。
【課題を解決するための手段】
【０００７】
上記目的を達成するために、本発明の画像形成装置は、無線通信手段を備える画像形成装置において、前記画像形成装置の近傍にいる利用者を検知する人感検知手段と、前記人感検知手段により利用者を検知したときは、前記利用者が所持する携帯端末との無線接続を確立するためのＩＤを生成する生成手段と、前記生成手段により生成されたＩＤを表示する表示手段と、前記携帯端末から前記無線通信手段を介して受信したＩＤに基づいて認証を行う認証手段と、前記認証手段により認証が成功した携帯端末からジョブを受信して実行するジョブ実行手段とを備えることを特徴とする。
【発明の効果】
【０００８】
本発明によれば、携帯端末の無線通信によりデータを送信して画像形成装置から印刷する場合に、画像形成装置の近傍の利用者が容易に携帯端末と画像形成装置間の無線通信を確立することができる。
【図面の簡単な説明】
【０００９】
【図１】本発明の第１の実施形態に係る画像形成装置が設置された通信環境の一例を示す図である。
【図２】図１における画像形成装置のハードウェア構成の一例を示すブロック図である。
【図３】図２における電源部のハードウェア構成と接続関係を示すブロック図である。
【図４】図１における携帯端末のハードウェア構成を示すブロック図である。
【図５】本発明の第１の実施形態における画像形成装置の印刷ジョブ実行処理を示すフローチャートである。
【図６】画像形成装置と携帯端末間のデータのやりとりを示すシーケンス図である。
【図７】画像形成装置の操作部に表示される画面の一例を示す図であり、（ａ）無線ＬＡＮ接続設定画面、（ｂ）メインメニュー画面である。
【図８】第２の実施形態における画像形成装置の操作部に表示される画面の一例を示す図であり、（ａ）無線ＬＡＮ接続設定画面、（ｂ）無線ＬＡＮ接続設定画面の他の一例である。
【図９】本発明の第３の実施形態における画像形成装置の印刷ジョブ実行処理を示すフローチャートである。
【発明を実施するための形態】
【００１０】
以下、本発明の実施の形態を図面を参照して詳細に説明する。
【００１１】
［第１の実施形態］
図１は、本発明の第１の実施形態に係る画像形成装置が設置された通信環境の一例を示す図である。
【００１２】
図１において、画像形成装置１００は、例えば、コピー機能、プリント機能、通信機能等の複数の機能を有する複合機である。画像形成装置１００は、通信機能により、無線ＬＡＮ２００を介して無線ＬＡＮアクセスポイント（無線ＬＡＮ＿ＡＰ）５００に接続することができる。
【００１３】
携帯端末３００は、スマートフォンやタブレットＰＣ等であり、無線ＬＡＮ２００を介して無線ＬＡＮ＿ＡＰ５００に接続することができる。その結果、携帯端末３００は、アプリケーションソフトウェア等により画像データを無線ＬＡＮ２００および無線ＬＡＮ＿ＡＰ５００を介して画像形成装置１００に送信し、当該画像データの印刷を実行させることが可能である。更に、携帯端末３００は、画像形成装置１００で原稿から読み取った画像データを、無線ＬＡＮ２００および無線ＬＡＮ＿ＡＰ５００を介して取得して、表示することができる。
【００１４】
無線ＬＡＮ＿ＡＰ５００は、画像形成装置１００や携帯端末３００等のＩＥＥＥ規格に準拠した端末間を中継する電波中継機である。なお、無線ＬＡＮ＿ＡＰ５００は、不図示のインターネット等の公衆ネットワークやＬＡＮに接続されていてもよい。
【００１５】
本実施形態では、無線ＬＡＮ２００にＩＥＥＥ規格の無線通信技術を利用する場合について説明するが、Ｂｌｕｅｔｏｏｔｈ（登録商標）等の他の無線通信技術を使用してもよい。
【００１６】
図２は、図１における画像形成装置１００のハードウェア構成の一例を示すブロック図である。
【００１７】
画像形成装置１００は、装置全体を制御するコントローラ１１０と、電源部１３０、操作部１５０、人感センサ１６０、スキャナ部１７０、プリンタ部１８０を備える。
【００１８】
電源部１３０は、装置内の各部に対する電源を供給する。電源部１３０の詳細については後述する。
【００１９】
操作部１５０は、ユーザが画像形成装置１００を操作するためのユーザインターフェース（ＵＩ）である。操作部１５０は、不図示のタッチパネル式ＬＣＤやハードウェアキーを備え、表示部および操作部として機能する。
【００２０】
スキャナ部１７０は、原稿画像を光学的に読み取って画像データに変換し、プリンタ部１８０の仕様に応じた画像補正や解像度変換等の処理を行った後、スキャナＩ／Ｆ１２０を介してコントローラ１１０へ送る。
【００２１】
プリンタ部１８０は、コントローラ１１０からプリンタＩ／Ｆ１２１を介して画像データを受信し、当該画像データを用紙に可視画像として印字して装置外に排紙する。
【００２２】
人感センサ１６０は、例えば焦電センサや反射センサなどで構成された人体検知センサである。この人感センサ１６０が、画像形成装置１００を操作するために装置の近傍に存在する人体を検知する。なお、画像形成装置１００の近傍に存在する人体や装置を利用する者の存在を検知するができれば、どのような方法で検知してもよい。
【００２３】
次に、コントローラ１１０の構成について説明を行う。
【００２４】
コントローラ１１０では、ＣＰＵ１１１、ＲＡＭ１１２、ＲＯＭ１１３、およびストレージ１１４がシステムバスに接続されている。さらに、操作部Ｉ／Ｆ１１５、無線ＬＡＮコントローラ１１６、人感センサ制御・判定部１１７、復帰検出部１１８、電源制御部１１９、スキャナＩ／Ｆ１２０、プリンタＩ／Ｆ１２１もシステムバスを介して接続されている。
【００２５】
ＣＰＵ１１１は、画像形成装置全体を制御する中央演算ユニットである。
【００２６】
ＲＡＭ１１２は、ＣＰＵ１１１がＲＯＭ１１３内のプログラムをロードして実行するためのメモリとして使用される。また、ＲＡＭ１１２は、ＣＰＵ１１１が演算に用いるデータを一時的に格納するためのワークメモリとしても使用される。
【００２７】
ＲＯＭ１１３は、画像形成装置１００の起動等に用いるプログラムが格納されている。
【００２８】
ストレージ１１４は、画像形成装置１００の制御に関するソフトウェアや各種設定情報、画像データ等を格納するハードディスクドライブ（ストレージ）等で構成されるメモリである。
【００２９】
操作部Ｉ／Ｆ１１５は、操作部１５０に対するインターフェース（Ｉ／Ｆ）であり、操作部１５０への入出力データを中継する。ＣＰＵ１１１は、利用者が操作部１５０にて入力したキー情報およびタッチパネル上の座標情報を、操作部Ｉ／Ｆ１１５を介して受信し、受信した情報に基づいて画像形成装置１００を制御する。
【００３０】
無線ＬＡＮコントローラ１１６は、無線ＬＡＮ２００を介して外部機器との間で無線通信を行う。
【００３１】
電源制御部１１９は、電源部１３０と接続され、電源部１３０から装置内に供給される電源を制御する。例えば、電源制御部１１９からの指示により電源部１３０を制御することで画像形成装置１００が省電力モードへ移行する。また、ＣＰＵ１１１は、利用者からの操作を一定期間受け付けていない状態や印刷ジョブを一定期間受信していない状態を検出すると電源制御部１１９に指示し、電源制御部１１９からの指示により電源部１３０を制御して不要な部分への電源供給を停止させる。
【００３２】
復帰検出部１１８は、省電力モードからの復帰要因（省電力モードから画像形成装置が動作可能なスタンバイ状態に移行するために必要な要因）を検出する。省電力モードからの復帰要因としては、人感センサによる人の検出、操作部１５０の節電キー１５１の押下などがある。復帰検出部１１８が省電力モードからの復帰要因を検出すると、その旨を電源制御部１１９に通知する。この通知に応じて、電源制御部１１９は、電源部１３０を制御して各部に対して電源供給することにより、画像形成装置を省電力モードから復帰させる。
【００３３】
また、画像形成装置１００の電源がオフされると、ＣＰＵ１１１は電源制御部１１９に対して電源停止の指示を行い、電源部１３０を制御する。
【００３４】
スキャナＩ／Ｆ１２０は、スキャナ部１７０を接続するインターフェースである。プリンタＩ／Ｆ２０１は、プリンタ部１８０と接続するインターフェースである。
【００３５】
図３は、図２における電源部１３０のハードウェア構成と接続関係を示すブロック図である。
【００３６】
電源部１３０は、スイッチ１３２，１３３，１３５，１３７，第１電源部１３４、第２電源部１３６を備える。
【００３７】
ＡＣ電源１３１は、電源部１３０内のスイッチ１３２，１３３を介して第１電源部１３４に接続され、スイッチ１３５を介して第２電源部１３６に接続されている。
【００３８】
スイッチ１３２は、利用者が画像形成装置１００の電源をオンまたはオフするためのスイッチである。
【００３９】
スイッチ１３２の操作は電源制御部１１９により検知され、スイッチ１３２がオンされると、ＡＣ電源１３１から第１電源部１３４に電源供給される。一方、スイッチ１３２がオフされると、第１電源部１３４への電源供給が停止する。
【００４０】
第１電源部１３４は、ＡＣ電源１３１からのＡＣ電源をＤＣ電源に変換し、ＤＣ電源を電源制御部１１９等に供給する。この第１電源部１３４は、画像形成装置１００が省電力状態（省電力モード時）でも電源供給を継続する電源である。
【００４１】
第２電源部１３６は、電源制御部１１９からの制御信号に応じて、ＣＰＵ１１１、ＲＯＭ１１３、ストレージ１１４に電源供給を行う。また、第２電源部１３６は、リレースイッチやＦＥＴ等で構成されるスイッチ１３７を介して操作部１５０、スキャナ部１７０、プリンタ部１８０へも電源供給を行う。
【００４２】
スイッチ１３７は、電源制御部１１９により制御され、電源制御部１１９からの制御信号によって操作部１５０、スキャナ部１７０、プリンタ部１８０への電源供給を個別に制御する。画像形成装置１００の復帰時または起動時には、スイッチ１３５，１３７がオンされ、装置全体に電源が供給される。
【００４３】
スイッチ１３３は、リレースイッチやＦＥＴ等で構成される。スイッチ１３３は、電源制御部１１９によって制御されるスイッチであり、電源制御部１１９からの制御信号によってオンまたはオフに制御される。このスイッチ１３２は、画像形成装置１００の動作中にスイッチ１３２がオフされても後段への電源供給を継続するために、スイッチ１３２と並行して配置されている。
【００４４】
スイッチ１３５は、リレースイッチやＦＥＴ等で構成される。スイッチ１３５は、電源制御部１１９によって制御されるスイッチであり、電源制御部１１９からの制御信号によってオンまたはオフに制御される。このスイッチ１３５は、画像形成装置１００の省電力モードのときにはオフされる制御が行われる。
【００４５】
第１電源部１３４は、電源制御部１１９、操作部１５０、無線ＬＡＮコントローラ１１６、人感センサ１６０、人感センサ制御・判定部１１７、ＲＡＭ１１２、復帰検出部１１８に電源が供給される。
【００４６】
画像形成装置１００が省電力モードの場合、主記憶装置（メインメモリ）としてのＲＡＭ１１２に電源が供給され、ＲＡＭ１１２内にＣＰＵ１１１の設定情報、メインプログラム、及び必要なデータのみが保持される構成となっている。
【００４７】
操作部１５０、無線ＬＡＮコントローラ１１６、人感センサ制御・判定部１１７のいずれかが省電力状態からの復帰要因を検出すると復帰検出部１１８への通知が行われる。復帰検出部１１８は、復帰要因の判断を行い、復帰要因に応じて電源制御部１１９に通知する。電源制御部１１９は、スイッチ１３５，１３７を制御して画像形成装置１００へ電源供給を開始させる。
【００４８】
図４は、図１における携帯端末３００のハードウェア構成を示すブロック図である。
【００４９】
ＣＰＵ３０１は、携帯端末３００全体を制御する中央演算ユニットである。
【００５０】
ＲＡＭ３０２は、ＣＰＵ３０１がフラッシュＲＯＭ３０３内のプログラムをロードして実行するためのメモリとして、また、ＣＰＵ３０１が演算に用いるデータを一時的に格納するためのワークメモリとして使用される。
【００５１】
フラッシュＲＯＭ３０３は、ＣＰＵ３０１が使用するプログラムや各種データを格納するメモリである。
【００５２】
操作部３０４は、ユーザが携帯端末３００を操作するためのＵＩであり、タッチパネル式ＬＣＤ（図示せず）等で構成される。
【００５３】
無線ＬＡＮ＿Ｉ／Ｆ３０６は、無線ＬＡＮ２００を介して外部機器との間でデータの送受信を行う無線通信インターフェースである。この無線ＬＡＮ＿Ｉ／Ｆ３０６は、無線ＬＡＮ＿ＡＰ５００経由で画像形成装置１００と無線接続する間接接続と、無線ＬＡＮ＿ＡＰ５００を経由しないで画像形成装置１００と無線接続する直接接続の両方に対応している。
【００５４】
ＣＰＵ３０１、ＲＡＭ３０２、フラッシュＲＯＭ３０３、操作部３０４、および無線ＬＡＮ＿Ｉ／Ｆ３０６は、システムバス３０９を介して接続され、相互にデータの送受信が行われる。また、これら各部は充電可能な電池（不図示）から電源供給を受ける。
【００５５】
次に、携帯端末３００から画像形成装置１００に印刷ジョブを送信して実行させる場合の画像形成装置１００の動作について説明する。
【００５６】
図５は、本発明の第１の実施形態における画像形成装置１００の印刷ジョブ実行処理を示すフローチャートである。なお、図示の各ステップは、図２に示すコントローラ１１０内のＣＰＵ１１１がＲＯＭ１１３に記憶される制御プログラムをＲＡＭ１１２にロードして画像形成装置１００全体を制御することで実現される。
【００５７】
画像形成装置１００が省電力状態（省電力モード）にあるものとする。
【００５８】
ステップＳ５０１では、画像形成装置１００の近傍に存在する利用者を検知する。具体的には、人感センサ１６０が人を検知すると、人感センサ１６０の検知結果を受信した人感センサ制御・判定部１１７から復帰検出部１１８に制御信号が送信される。
【００５９】
なお、ステップＳ５０１では、操作部１５０の節電キー１５１の押下を検出したかを判定してもよい。その場合は、操作部１５０から復帰検出部１１８に制御信号が送信される。また、人感センサ１６０が複数の人を検知した場合、節電キー１５１の押下に応じてステップＳ５０２以降の処理を実行するように構成してもよい。
【００６０】
次に、ステップＳ５０２では、復帰検出部１１８が電源制御部１１９へ通知を行い、電源制御部１１９によりスイッチ１３５，１３７がオンされ、第２電源部１３６から各部に電源供給される。そして、電源供給を受けたＣＰＵ１１１は、ＲＯＭ１１３あるいはＲＡＭ１１２の制御プログラムを実行して画像形成装置１００の復帰を行う。これにより、画像形成装置１００が省電力状態から通常状態（通常モード）に復帰する。
【００６１】
次に、ステップＳ５０３では、ステップＳ５０２で復帰したＣＰＵ１１１は、一時的に画像形成装置１００と携帯端末３００との無線接続を確立するためのＩＤを生成する。ＩＤの生成は、復帰検出部１１８が復帰要因を検出する毎に行われることが好ましい。しかしながら、ＩＤが利用される毎に新規ＩＤをＣＰＵ１１１が生成してＲＡＭ１１２またはストレージ１１４に保存し、復帰時にＣＰＵ１１１がＲＡＭ１１２またはストレージ１１４に格納されたＩＤを読み出す構成でもよい。
【００６２】
次に、ステップＳ５０４では、ＣＰＵ１１１は、ステップＳ５０３で生成したＩＤを操作部１５０に表示する。ＩＤの表示例を図７（ａ）に示す。
【００６３】
図７（ａ）において、無線ＬＡＮ接続設定画面７００には、携帯端末３００の接続先である画像形成装置１００のＩＰアドレス７０１と、認証用のＩＤ７０２が表示される。無線ＬＡＮ接続設定画面７００上のメインメニューへボタン７０３が押下されると、無線ＬＡＮ接続設定画面７００が図７（ｂ）に示すメインメニュー画面７１０に切り替わる。
【００６４】
図７（ｂ）において、メインメニュー画面７１０には、コピーボタン７１１、送信ボタン７１２、ボックスボタン７１３、無線を使ったプリントボタン７１４、設定ボタン７１５が表示される。コピーボタン７１１はコピー機能を呼び出すためのボタンである。送信ボタン７１２はメール送信などを行うためのボタンである。ボックスボタン７１３は、ストレージ１１４に画像データを保存したりあるいはストレージ１１４に保存したデータをプリントするためのボタンである。無線を使ったプリントボタン７１４は、無線ＬＡＮによるプリントを行うためのボタンである。設定ボタン７１５は、画像形成装置１００の各種設定を行うためのボタンである。
【００６５】
メインメニュー画面７１０上の無線を使ったプリントボタン７１４が押下されると、図７（ａ）の無線ＬＡＮ接続設定画面７００に画面が切り替わる。
【００６６】
図５に戻り、ステップＳ５０５では、ＣＰＵ１１１は、無線ＬＡＮコントローラ１１６が携帯端末３００から無線ＬＡＮ２００を介してＩＤを受信したかを判定する。ＩＤを受信した場合はステップＳ５０６へ進む。一方、ＩＤが所定時間受信されない場合には、携帯端末３００との通信を切断して（ステップＳ５１０）、終了する。
【００６７】
ステップＳ５０６では、ＣＰＵ１１１は、携帯端末３００から受信したＩＤと、操作部１５０に表示されたＩＤが同じかを判定する。このとき、人感センサ１６０により画像形成装置１００の近傍に存在する利用者が継続して検知されているかを追加判定する構成であってもよい。この場合、受信したＩＤと表示したＩＤとが一致し且つ利用者が画像形成装置の近傍にいるという両方の条件を満たすと認証成功と判断する。認証が成功すると、携帯端末３００から受信した印刷ジョブを実行することができる。なお、認証が成功しなかった場合には、認証が成功しなかった旨の通知を画像形成装置１００から携帯端末３００に送信することが好ましい。
【００６８】
ステップＳ５０７では、ＣＰＵ１１１は、無線ＬＡＮコントローラ１１６が携帯端末３００から受信した印刷ジョブをプリンタ部１８０で実行させる。ジョブの実行後、ＣＰＵ１１１は、無線ＬＡＮコントローラ１１６から無線ＬＡＮ２００を携帯端末３００に印刷ジョブの終了を通知する。
【００６９】
ステップＳ５０８では、ＣＰＵ１１１は、無線ＬＡＮコントローラ１１６が携帯端末３００から通信切断通知があったかを判定する。通信切断通知があった場合には、ステップＳ５１０に進み、携帯端末３００との通信を切断する。一方、通信切断通知がなく（ステップＳ５０８でＮＯ）、所定時間が経過した場合でも（ステップＳ５０９でＹＥＳ）、ステップＳ５１０に進み、通信を切断する。この所定時間は、携帯端末３００から印刷ジョブの実行指示があった場合には、印刷ジョブの実行終了後からの所定時間となる。一方、印刷ジョブの実行指示がなかった場合には、認証が成功した後に認証成功通知を携帯端末３００に送信した後からの所定時間となる。
【００７０】
図６は、図５で説明した画像形成装置１００と携帯端末３００間のデータのやりとりを示すシーケンス図である。なお、図５で説明したステップには、同一の番号を付してその説明を省略する。
【００７１】
ステップＳ７０１からステップＳ７０５の各ステップは、図４に示すＣＰＵ３０１がフラッシュＲＯＭ３０３に記憶される制御プログラムをＲＡＭ３０２にロードして携帯端末３００全体を制御することで実現される。
【００７２】
ステップＳ７０２では、利用者が携帯端末３００を持って画像形成装置１００に近づくと、ＣＰＵ３０１は、操作部３０４に無線接続が可能なデバイスの一覧を表示し、デバイスの指示を受け付ける。
【００７３】
ステップＳ７０３では、ＣＰＵ３０１は、無線ＬＡＮ＿Ｉ／Ｆ３０６が無線ＬＡＮ２００を介して画像形成装置１００との通信を開始し、画像形成装置１００の操作部１５０に表示されたＩＤの入力を受け付ける。
【００７４】
ステップＳ７０４では、ＣＰＵ３０１は、ステップＳ７０３で利用者により入力されたＩＤを、無線ＬＡＮ＿Ｉ／Ｆ３０６により無線ＬＡＮ２００を介して画像形成装置１００に送信する。
【００７５】
ステップＳ７０５では、ＣＰＵ３０１は、画像形成装置１００から認証成功の通知を受けると、利用者からの印刷ジョブの実行指示を受け付ける。
【００７６】
ステップＳ７０６では、ＣＰＵ３０１は、画像形成装置１００からジョブ終了の通知を受けると、利用者からの指示に応じて画像形成装置１００に対して通信切断通知を送信した後、画像形成装置１００との間の通信を切断する。
【００７７】
上記第１の実施形態によれば、人感センサ１６０により画像形成装置１００の近傍にいる利用者を検知したときは、利用者が所持する携帯端末３００との無線接続を確立するためのＩＤを生成し、生成されたＩＤを操作部１５０に表示する。利用者の携帯端末３００から無線ＬＡＮコントローラ１１６を介して受信したＩＤに基づいて認証を行い、認証が成功した携帯端末３００からジョブを受信して実行する。これにより、画像形成装置のそばにいる利用者に対して、利用者が所持する携帯端末との無線通信を容易に行うことができる。
【００７８】
［第２の実施形態］
上記第１の実施形態では、画像形成装置１００と携帯端末３００をアクセスポイント経由で無線ＬＡＮ通信を行う場合について説明を行ったが、本発明の第２の実施形態では、画像形成装置１００と携帯端末３００が直接無線ＬＡＮ通信を行う場合ついて説明を行う。
【００７９】
本発明の第２の実施の形態では、図１〜図４に示す構成が上記第１の実施の形態と同じであり、第１の実施の形態と同様の部分については、同一の符号を用いてその説明を省略する。以下に、上記第１の実施の形態と異なる点のみを説明する。
【００８０】
図８（ａ）は、第２の実施形態における画像形成装置の操作部１５０に表示される無線ＬＡＮ接続設定画面の一例を示す図である。
【００８１】
図８（ａ）において、無線ＬＡＮ接続設定画面８００には、無線ＬＡＮ通信のＳＳＩＤ８０１と、暗号鍵８０２が表示される。本実施形態では、図５のステップＳ５０３において、ＳＳＩＤと暗号鍵が新規に生成される点が異なる。携帯端末３００を持った利用者が、無線ＬＡＮ接続設定画面８００上に表示されたＳＳＩＤと暗号鍵を携帯端末３００に入力することにより携帯端末３００と画像形成装置１００との間で無線ＬＡＮのダイレクト接続が開始される。
【００８２】
図８（ｂ）は、第２の実施形態における画像形成装置の操作部１５０に表示される無線ＬＡＮ接続設定画面の他の一例を示す図である。
【００８３】
図８（ｂ）において、無線ＬＡＮ接続設定画面８０５には、無線ＬＡＮ通信のＳＳＩＤと、暗号鍵と、テンポラリーＩＤが表示される。この場合、ＳＳＩＤと暗号鍵は固定値とし、図５のステップＳ５０３において、テンポラリーＩＤが新規に生成される点が異なる。ＳＳＩＤ、暗号鍵、テンポラリーＩＤをセットにして携帯端末３００から画像形成装置１００に送信することでＩＤ認証を行う。
【００８４】
上記第２の実施形態によれば、上記第１の実施形態と同様の効果が得られる。さらに、無線ＬＡＮ＿ＡＰ５００や公衆ネットワークを介することなく、画像形成装置１００と携帯端末３００とが直接無線通信を行うことができる。
【００８５】
［第３の実施形態］
本発明の第３の実施形態では、上記第１の実施形態または上記第２の実施形態に対して、無線ＬＡＮの電波強度を検知する機能が追加されている。
【００８６】
図９は、本発明の第３の実施形態における画像形成装置１００の印刷ジョブ実行処理を示すフローチャートである。なお、本処理は、図５に示すステップＳ５０１がステップＳ９０１に変更されたものであり、図５に示す各ステップと同一のステップには同一のステップ番号を付している。
【００８７】
ステップＳ９０１では、図５のステップＳ５０１と同様に、画像形成装置１００の近傍に存在する利用者を検知する。さらに、ステップＳ９０１では、無線ＬＡＮコントローラ１１６が、装置周辺に存在する携帯端末等の無線ＬＡＮの電波強度を検知する。そして、人感検知結果と無線ＬＡＮの電波強度検知結果から、携帯端末３００等を所持する利用者が画像形成装置１００の近傍に存在するかの判断を行う。すなわち、人感検知の前後で、無線ＬＡＮの電波強度が所定値以上の場合または無線ＬＡＮの電波強度が増加している場合には、携帯端末３００等を所持する利用者が画像形成装置１００の近傍に存在すると判断する。一方、人を検知したが、無線ＬＡＮの電波強度が所定値未満または無線ＬＡＮの電波強度が低下している場合には、ステップＳ５０３以降の処理が実行されない。なお、ステップＳ９０１において、人感センサ１６０が複数の人を検知した場合でも同様とする。
【００８８】
上記第３の実施形態によれば、上記第１の実施形態と同様の効果が得られる。さらに、携帯端末を所持した利用者のみが検知されたときに、画像形成装置１００と携帯端末３００との無線通信が可能となるので、画像形成装置の無駄な復帰処理を低減することができる。
【００８９】
上記第１〜第３の実施形態では、省電力状態から通常状態に復帰した場合について説明したが、通常状態の場合でも復帰処理が省略されるだけで同様の処理が実行される。
【００９０】
また、図５、図９の処理において、人感センサ１６０による装置近傍の利用者を常時検知し、通信開始後に人感センサ１６０による利用者（人体）の検知ができなくなったときには、通信を切断して初期状態に戻るように構成してもよい。
【００９１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００９２】
１００  画像形成装置
１１１  ＣＰＵ
１１８  復帰検出部
１３０  電源部
１５０  操作部
１６０  人感センサ
２００  無線ＬＡＮ
３００  携帯端末
４００  無線ＬＡＮアクセスポイント
【図１】
2016012200.tif 000003
【図２】
2016012200.tif 000004
【図３】
2016012200.tif 000005
【図４】
2016012200.tif 000006
【図５】
2016012200.tif 000007
【図６】
2016012200.tif 000008
【図７】
2016012200.tif 000009
【図８】
2016012200.tif 000010
【図９】
2016012200.tif 000011